(57)【特許請求の範囲】
【請求項１】
ランプボディと前面レンズで画成された灯室内に、リフレクターと光源とをそれぞれ備えた３種類の光源ユニットがエイミング機構によって傾動調整可能に設けられたリフレクター可動型ヘッドランプにおいて、
前記光源ユニットは、走行ビーム形成用，すれ違いビーム形成用および補助ビーム形成用の３種で構成されるとともに、前記各光源ユニットにおけるリフレクターが単一のリフレクターユニットに一体的に形成されるとともに、前記光源ユニットとランプボディ間に介装された単一のエイミング機構によって前記リフレクターユニットがランプボディに対し傾動調整可能に設けられ、
前記３種の光源ユニットのいずれかで構成された第１の光源ユニットと、上下に並び前記第１の光源ユニットと異なるビームを形成する第２，第３の光源ユニットとが前記灯室内の左右に隣接するように配置されるとともに、前記リフレクターユニットの左右いずれか一方の側縁部および左右に隣接する前記光源ユニット間に、協働して前記エイミング機構を構成するエイミング機構構成部材が配設され、
前記エイミング機構は、前記リフレクターユニットの傾動支点を構成するエイミング機構構成部材であるエイミング支点と、前記エイミング支点を通る垂直傾動軸周りに前記リフレクターユニットを傾動させるべく前後方向に進退動作可能なエイミング機構構成部材である左右エイミング点を備え、
ランプを正面視して、前記リフレクターユニットの左右いずれかの側縁部に前記エイミング支点が、左右に隣接する前記光源ユニット間に前記左右エイミング点がそれぞれ設けられるとともに、前記リフレクターユニットにおける前記左右エイミング点と前記エイミング支点非配設側の側縁部間に、ランプボディ側のリフレクターユニット担持面に摺接する摺接ガイドが設けられたことを特徴とするリフレクター可動型ヘッドランプ。
【請求項２】
前記エイミング機構は、前記エイミング支点と前記左右エイミング点を通る水平傾動軸周りに前記リフレクターユニットを傾動させるべく前後方向に進退動作可能なエイミング機構構成部材であって、前記エイミング支点と協働して前記垂直傾動軸を形成する上下エイミング点を備え、
前記水平傾動軸の延長線上において前記摺接ガイドがランプボディ側のリフレクターユニット担持面に摺接することを特徴とする請求項１に記載のリフレクター可動型ヘッドランプ。
【請求項３】
前記摺接ガイドのリフレクターユニット担持面との摺接部が左右方向に所定幅をもつＵ字形状に形成されるとともに、ランプを正面視して、前記摺接部が光源の真下にくるように配置されたことを特徴とする請求項１または２に記載のリフレクター可動型ヘッドランプ。
【発明の詳細な説明】
【０００１】
【発明の属する技術分野】
本発明は、光源を装着したリフレクターがエイミング機構によってランプボディに対し傾動可能に支持されたリフレクター可動型ヘッドランプに係り、特に、リフレクターと光源とをそれぞれ備えた３種の光源ユニットがエイミング機構によって傾動調整可能に設けられたリフレクター可動型ヘッドランプに関する。
【０００２】
【従来の技術】
この種のヘッドランプとしては、図１３に示されるように、ランプボディと前面レンズで画成された灯室内に、それぞれのリフレクター２ａ，３ａ，４ａに光源２ｂ，３ｂ，４ｂを装着したフォグランプ形成用，走行ビーム形成用，すれ違いビーム形成用の３種類の光源ユニット２，３，４が収容されている。そして、それぞれの光源ユニット２，３，４は、それぞれのリフレクター２ａ，２ｂ，２ｃとランプボディ間に配設されたエイミング機構Ｅ１，Ｅ２，Ｅ３によってそれぞれ傾動調整可能に設けられている。そしてエイミング機構Ｅ１，Ｅ２，Ｅ３は、それぞれ上下エイミング点を構成するエイミングスクリュー６，左右エイミング点を構成するエイミングスクリュー７およびエイミング支点８で構成されている。
【０００３】
【発明の解決しようとする課題】
しかし前記した従来技術では、３種の光源ユニット２，３，４のそれぞれにエイミング機構（上下エイミング点を構成するエイミングスクリュー６，左右エイミング点を構成するエイミングスクリュー７，エイミング支点８）が設けられているため、以下の問題があった。
【０００４】
第１に、エイミング機構を構成する部品点数が多く、エイミング機構が複雑で重量がかさみ、コストもかかる。第２に、隣接リフレクター同士が互いに干渉しないように離間させる必要があるため、灯室すなわちランプが大型となる。第３に、隣接リフレクター間に生じる隙間が前面レンズから透けて見えて、見栄えが悪い。
【０００５】
本発明は前記従来技術の問題点に鑑みてなされたもので、その目的は、エイミング機構が簡潔で、小型，軽量，低コストにして見栄えのよい、エイミング可能な３種の光源ユニットを内蔵するリフレクター可動型ヘッドランプを提供することにある。
【０００６】
【課題を解決するための手段】
前記目的を達成するために、請求項１に係るリフレクター可動型ヘッドランプにおいては、ランプボディと前面レンズで画成された灯室内に、リフレクターと光源とをそれぞれ備えた３種類の光源ユニットがエイミング機構によって傾動調整可能に設けられたリフレクター可動型ヘッドランプにおいて、
前記光源ユニットを、走行ビーム形成用，すれ違いビーム形成用および補助ビーム形成用の３種で構成するとともに、前記各光源ユニットにおけるリフレクターを単一のリフレクターユニットに一体的に形成するとともに、前記光源ユニットとランプボディ間に介装した単一のエイミング機構によって前記リフレクターユニットをランプボディに対し傾動調整可能に設けるようにした。
【０００７】
なお、補助ビーム形成用の光源ユニットは、主にすれ違いビーム形成用の光源ユニットや走行ビーム形成用の光源ユニットとともに点灯されて、すれ違いビームや走行ビームを補助するために使用されるもので、例えば、フォグ対応ビーム形成用の光源ユニット、側方を照明するベンディングビーム形成用の光源ユニット、高速走行中の遠方照明ビーム形成用の光源ユニット、雨天対応ビーム形成用の光源ユニット等がある。
（作用）３種のリフレクターが単一のリフレクターユニットに一体的に形成されているため、従来構造において３種の光源ユニットそれぞれに必要であったエイミング機構がリフレクターユニットに対応する単一のエイミング機構で済み、エイミング機構を構成する部品点数が少なくなる。
【０００８】
また、隣接する光源ユニットのリフレクター間に隙間がないので、リフレクターを隣接配置する従来構造に場合に比べて、灯室が小さくできるとともに、前面レンズを通した灯室内の見栄えが良好となる。
【０００９】
また、請求項１においては、前記３種の光源ユニットのいずれかで構成された第１の光源ユニットと、上下に並び前記第１の光源ユニットと異なるビームを形成する第２，第３の光源ユニットとを前記灯室内の左右に隣接するように配置するとともに、前記リフレクターユニットの左右いずれか一方の側縁部および左右に隣接する前記光源ユニット間に、協働して前記エイミング機構を構成するエイミング機構構成部材を配設するようにした。
第１、第２、第３の光源ユニットの配置としては、例えば、前記リフレクターユニットの車両幅方向内側寄りに前記走行ビーム形成用または補助ビーム形成用の第１の光源ユニットを配置し、前記リフレクターユニットの車両幅方向外側寄りに前記第１の光源ユニットと異なるビームを形成する第２，第３の光源ユニットを上下に並べて前記第１の光源ユニットに隣接するように配置する形態が考えられる。
【００１０】
（作用）上下に隣接配置した第２，第３の光源ユニットを第１の光源ユニットの側方に配置するため、左右方向に３個の光源ユニットを並べて配置する場合に比べて、リフレクターユニットの左右方向の幅が小さく、灯室の左右方向の幅も小さくてよい。
【００１１】
特に、第１の光源ユニット（のリフレクター）の上下幅を第２，第３の光源ユニット（のリフレクター）の上下幅の総和にほぼ等しい大きさに形成すれば、リフレクターユニット全体の上下幅を第１の光源ユニット（のリフレクター）の上下幅にほぼ等しくできて、リフレクターユニットの上下方向の大きさもコンパクト化できる。
【００１２】
また、リフレクターは後方に凸の湾曲形状であるため、リフレクターユニットの側縁部および左右に隣接する光源ユニット間では、ランプボディとの間にエイミング機構構成部材を配設するに十分なスペースがあり、この広いスペースにエイミング機構構成部材を設けることで、エイミング機構を配設するためのスペースを別途設ける工夫がいらない。
【００１３】
また、請求項１においては、前記エイミング機構が、前記リフレクターユニットの傾動支点を構成するエイミング機構構成部材であるエイミング支点と、前記エイミング支点を通る垂直傾動軸周りに前記リフレクターユニットを傾動させるべく前後方向に進退動作可能なエイミング機構構成部材である左右エイミング点を備え、
ランプを正面視して、前記リフレクターユニットの左右いずれかの側縁部に前記エイミング支点を、左右に隣接する前記光源ユニット間に前記左右エイミング点をそれぞれ設けるとともに、前記リフレクターユニットにおける前記左右エイミング点と前記エイミング支点非配設側の側縁部間に、ランプボディ側のリフレクターユニット担持面に摺接する摺接ガイドを設けるように構成した。
【００１４】
なお、左右エイミング点は、リフレクターユニットに装着されたナット部材であって、ランプボディに回転可能に支承された左右エイミングスクリューに螺合し、左右エイミングスクリューの回動に連係して前後に進退するナット部材で構成し、エイミング支点は、玉部と前記玉部を支承する玉受け部からなるピボットで構成することが望ましい。そして、相対回動可能な玉部と玉受け部間にはガタがないので、リフレクターユニットの左右方向いずれの側縁部にエイミング支点を配設してもよいが、第２，第３の光源ユニットが配置されてエイミング機構に作用する重量負荷がより大きいと思われる車両幅方向外側の側縁部をエイミング支点で支持させることが最も望ましい。
（作用）左右エイミングは、左右エイミング点を前後方向に進退動作（左右エイミングスクリューを回動）させて、リフレクターユニットをエイミング支点を通る垂直傾動軸周りに傾動させることで行われるが、左右に隣接する光源ユニット間に左右エイミング点を設けたので、リフレクターユニットの左右方向側縁部に左右エイミング点を設ける場合に比べて、リフレクターユニットを左右方向に所定角度傾動させるために必要な左右エイミング点の前後方向進退量（左右エイミングスクリューの回動操作量）が少なくてよい。即ち、左右エイミング点の僅かな進退動作（左右エイミングスクリューの僅かな回動操作）によって、ランプ（各光源ユニット）の光軸を左右方向に大きくエイミングできる。
【００１５】
また、左右に隣接する光源ユニット間に左右エイミング点が設けられることで、エイミングスクリューにより片持ち支持された左右エイミング点にはリフレクターレクタユニットを介して大きな重量負荷が作用し、左右エイミング点が垂れ下がったり、左右エイミング点の前後方向へのスムーズな進退動作（左右エイミングスクリューのスムーズな回動操作）が阻害される等の不具合が発生するおそれがあるが、ランプボディ側のリフレクターユニット担持面にバックアップされた摺接ガイドが左右エイミング点に作用するこの大きな重量負荷の一部を担持するので、リフレクターレクタユニットを介して左右エイミング点に作用する重量負荷が軽減されて、前記した不具合が発生しない。そして、摺接ガイドが摺接するランプボディ側の担持面は、リフレクターユニットの左右方向への傾動中心軸である垂直傾動軸に対し直交する平面で形成されており、左右エイミング（リフレクターユニットの垂直傾動軸周りの傾動）の際には、摺接ガイドがランプボディ側の担持面に沿って摺動し、摺接ガイドとランプボディ側の担持面との摺接部に作用する圧接力は変化せず、摺動ガイドおよびランプボディ側の担持面が担持する重量負荷は常に一定に保持される。
【００１６】
請求項２においては、前記エイミング機構が、前記エイミング支点と前記左右エイミング点を通る水平傾動軸周りに前記リフレクターユニットを傾動させるべく前後方向に進退動作可能なエイミング機構構成部材であって、前記エイミング支点と協働して前記垂直傾動軸を形成する上下エイミング点を備え、
前記水平傾動軸の延長線上において前記摺接ガイドがランプボディ側のリフレクターユニット担持面に摺接するように構成した。
【００１７】
なお、上下エイミング点は、リフレクターユニットに装着されたナット部材であって、ランプボディに回転可能に支承された上下エイミングスクリューに螺合し、上下エイミングスクリューの回動に連係して前後に進退するナット部材で構成することが望ましい。
【００１８】
（作用）上下エイミング操作により、リフレクターユニットはエイミング支点と左右エイミング点を通る水平傾動軸周りに傾動し、摺動ガイドもリフレクターユニットと一体に傾動（揺動）するが、摺動ガイドのリフレクターユニット担持面との摺接部はリフレクターユニットの水平傾動軸の延長線上に位置するため、摺動ガイドとリフレクターユニット担持面との摺接部は殆ど移動（変化）しない。このため、摺動ガイドとランプボディ側担持面間の摺接部に作用する圧接力は、上下エイミング（リフレクターユニットの水平傾動軸周りの傾動）によっても殆ど変化せず、摺動ガイドを介してランプボディ側担持面で担持される重量負荷は常に一定に保持される。
【００１９】
請求項３においては、前記摺接ガイドのリフレクターユニット担持面との摺接部を左右方向に所定幅をもつＵ字形状に形成するとともに、ランプを正面視して、前記摺接部が光源の真下にくるように摺接ガイドを配置した。
（作用）摺接ガイドとランプボディ側の担持面とは、光源ユニットの重心の作用線上に略一致する光源の真下において摺接し、左右エイミング点に作用するリフレクターレクタユニットにおけるエイミング支点非配設側の重量負荷の殆どが、ランプボディ側の担持面にバックアップされた摺接ガイドで担持される。このため、左右エイミング点に作用する重量負荷は、エイミング支点に作用する重量負荷と略同等となって、左右エイミング点のよりスムーズな進退（左右エイミングスクリューのよりスムーズな回動）が確保される。
【００２０】
また、摺接ガイドはＵ字形状に形成されて、ランプボディ側の担持面との摺動摩擦が小さいので、ランプボディ側の担持面に沿ってスムーズに摺動できる。
【００２１】
さらに、Ｕ字形状の摺動ガイドは、上下方向に作用する慣性重量に対して振動を抑制したり寸法精度上の誤差や組み付け誤差のばらつきを吸収するばね部材としても作用する。
【００２２】
【発明の詳細な説明】
【発明の実施の形態】
次に、本発明の発明の実施の形態を実施例に基づいて説明する。
【００２３】
図１〜図７は本発明の第１の実施例を示すもので、図１は本発明の一実施例であるリフレクター可動型ヘッドランプの正面図、図２は同ヘッドランプの水平断面図(図１に示す線II−IIに沿う断面図）、図３，４は同ヘッドランプの縦断面図(図１に示す線III−III，線IＶ−IＶに沿う断面図）、図５，６は同ヘッドランプの縦断面図(図１に示す線Ｖ−Ｖ，線ＶI−ＶIに沿う断面図）、図７は要部である摺動ガイドの斜視図である。
【００２４】
これらの図において、符号１０は容器状のランプボディで、ランプボディ１０の前面開口部に透明な前面レンズ１１が組み付けられて灯室Ｓが画成され、灯室Ｓ内には、エイミング機構Ｅによって傾動調整可能なリフレクターユニット２０が設けられている。
【００２５】
リフレクターユニット２０には、走行ビーム形成用のリフレクター２１，すれ違いビーム形成用のリフレクター２２およびフォグ対応ビーム形成用のリフレクター２３が一体化的に形成されており、走行ビーム形成用のリフレクター２１は、リフレクターユニット２０の車両幅方向内側（図１右側）寄りに形成され、車両幅方向外側（図１左側）寄りには、すれ違いビーム形成用のリフレクター２２とフォグ対応ビーム形成用のリフレクター２３がそれぞれ上下方向に並び、走行ビーム形成用のリフレクター２１の真横となるように配置されている。
【００２６】
そして、リフレクタ２１，２２，２３のそれぞれの後頂部には、光源であるバルブ２４，２５，２６が装着されて、第１の光源ユニットＵ１を構成する走行ビーム形成用の光源ユニット，第２の光源ユニットＵ２を構成するすれ違いビーム形成用の光源ユニットおよび第３の光源ユニットＵ３を構成するフォグ対応ビーム形成用の光源ユニットがリフレクターユニット２０において一体化されている。即ち、第２の光源ユニット（すれ違いビーム形成用の光源ユニット）Ｕ２と第３の光源ユニット（フォグ対応ビーム形成用の光源ユニット）Ｕ３が上下に並び、その真横に第１の光源ユニット（走行ビーム形成用の光源ユニット）Ｕ１が配置されている。
【００２７】
符号２５ａは、光源ユニットＵ２のバルブ２５の前方に配置されて、リフレクタ２２の有効反射面以外に向かう光を遮光してクリアカットラインの形成に寄与し、かつグレア光の発生を阻止するためのシェードである。符号２６ａは、光源ユニットＵ３のバルブ２６を包囲するように配置された円筒形状のイエローグローブで、バルブ２６の発光はこのイエローグローブ２６ａを透過することで黄色光となる。符号２６ｂは、バルブ２６の前方に配置されたシェードで、リフレクタ２３の有効反射面以外に向かう光を遮光するとともに、グレア光の発生を阻止するためのものである。
【００２８】
また、すれ違いビーム形成用のリフレクター２２と走行ビーム形成用のリフレクター２１間には、ポジションランプ用のリフレクター２７が一体的に形成され、リフレクター２７に設けられたバルブ挿着孔に光源であるバルブ２８が挿着されて、ポジションランプ用光源ユニットＵ４もリフレクターレクターユニット２０に一体化されている。
【００２９】
そして、本実施例では、前面レンズ１１を通して灯室Ｓ内が透けて見えるが、各光源ユニットのリフレクター２１，２２，２３，２７はリフレクターユニット２０として連続しており、灯室Ｓ内全体に鏡面色のリフレクターユニット２０が延在して、見栄えが良好となっている。
【００３０】
また、本実施例では、左右方向に２個の光源ユニットＵ１，Ｕ２（Ｕ３）を配置するため、従来のように左右方向に３個の光源ユニットを配置する場合に比べて、リフレクターユニット２０の左右方向の幅が小さくなって、灯室Ｓの左右方向の幅が小さくてよい。
【００３１】
また、本実施例では、光源ユニットＵ１（のリフレクター２１）の上下幅Ｈ１が他の光源ユニットＵ２，Ｕ３（のリフレクター２２，２３）の上下幅の総和Ｈ２＋Ｈ３にほぼ等しい大きさに形成されて、リフレクターユニット２０の上下方向の大きさもコンパクトで、ランプが上下左右方向にコンパクト化されている。
【００３２】
また、リフレクターユニット２０とランプボディ１０間に配設されたエイミング機構Ｅは、リフレクターユニット２０の傾動支点である１個のエイミング支点ｅ０と、エイミング支点ｅ０の上方に位置し、前後方向に進退動作してリフレクターユニット２０を上下方向に傾動させる上下エイミング点ｅ１と、エイミング支点ｅ０の上方に位置し、前後方向に進退動作してリフレクターユニット２０を左右方向に傾動させる左右エイミング点ｅ２の３点で構成されている。
【００３３】
即ち、エイミング支点ｅ０は、図５に示すように、ランプボディ１０に突設された玉部１８ａと、この玉部１８ａを支承するリフレクターユニット２０背面側の玉受け部１８ｂで構成され、図１に示すように、ランプを正面視して、リフレクターユニット２０の車両幅方向外側の側縁下部に設けられている。符号１９は、リフレクターユニット２０の背面に取着された上下に長いブラケットで、このブラケット１９の下端部に玉受け部１８ｂが嵌着されている。
【００３４】
また、上下エイミング点ｅ１は、ランプボディ１０の背面壁のスクリュー挿通孔に回転可能に支承されて前方に延出するエイミングスクリュー１４と、リフレクターユニット２０の背面に突出形成されたブラケット１９の上端部に嵌着されかつエイミングスクリュー１４に螺合するナット部材１５で構成され、図１，５に示すように、エイミング支点ｅ０の真上に設けられている。
【００３５】
また、左右エイミング点ｅ２は、図６に示すように、ランプボディ１０の背面壁のスクリュー挿通孔に回転可能に支承されて前方に延出するエイミングスクリュー１６と、リフレクターユニット２０の背面に突出形成されたブラケット１９ａに嵌着されかつエイミングスクリュー１６に螺合するナット部材１７で構成され、ランプを正面視して、図１に示すように、エイミング支点ｅ０と同一レベルに設けられている。なお、符号１４ａ（１６ａ）は、エイミングスクリュー１４（１６）に後端部に一体化された冠状歯車で、ドライバー５０の歯先を係合させた形態で冠状歯車１４ａ（１６ａ）を回動させることで、エイミングスクリュー１４（１６）を回動操作できる。
【００３６】
そして、エイミングスクリュー１４を回動すると、上下エイミング点ｅ１（ナット部材１５）がスクリュー１４に沿って進退して、リフレクターユニット２０がエイミング支点ｅ０（玉継手１８）と左右エイミング点ｅ２（ナット部材１７）を通る水平傾動軸Ｌｘ周りに傾動し、リフレクターユニット２０として一体化されている走行ビーム形成用光源ユニットＵ１，すれ違いビーム形成用光源ユニットＵ２，フォグ対応ビーム形成用光源ユニットＵ３およびポジションランプ用光源ユニットＵ４それぞれの光軸を上下方向に傾動調整、即ち上下方向にエイミングすることができる。
【００３７】
一方、エイミングスクリュー１６を回動すると、左右エイミング点ｅ２（ナット部材１７）がスクリュー１６に沿って進退して、リフレクターユニット２０がエイミング支点ｅ０（玉継手１８）と上下エイミング点ｅ１（ナット部材１５）を通る垂直傾動軸Ｌｙ周りに傾動し、リフレクターユニット２０として一体化されている走行ビーム形成用光源ユニットＵ１，すれ違いビーム形成用光源ユニットＵ２，フォグ対応ビーム形成用光源ユニットＵ３およびポジションランプ用光源ユニットＵ４それぞれの光軸を左右方向に傾動調整、即ち左右方向にエイミングできる。
【００３８】
また、エイミング機構Ｅを構成する左右エイミング点ｅ２は、走行ビーム形成用光源ユニットＵ１と上下に並設された光源ユニットＵ２，Ｕ３間に設けられて、左右方向のエイミングの迅速化が図られている。即ち、左右エイミング点ｅ２を垂直傾動軸Ｌｙから大きく離れたフレクターユニット２０の車両幅方向内側の側縁部に設けた場合に比べると、左右エイミング点ｅ２と垂直傾動軸Ｌｙ間の距離が短いため、リフレクターユニット２０を左右方向に所定角度傾動させるために必要な左右エイミング点ｅ２の前後方向進退量（左右エイミングスクリュー１６の回動操作量）が少なくてよい。したがって、左右エイミングスクリュー１６の僅かな回動操作によって、左右方向に大きくエイミングできる。
【００３９】
また、左右に隣接する光源ユニット間に左右エイミング点ｅ２が設けられることで、エイミングスクリュー１６により片持ち支持された左右エイミング点ｅ２にはリフレクターレクタユニット２０を介して大きな重量負荷が作用し、左右エイミング点ｅ２が垂れ下がったり、左右エイミング点ｅ２の前後方向へのスムーズな進退動作（左右エイミングスクリュー１６のスムーズな回動操作）が阻害される等の不具合が発生するおそれがある。しかし、本実施例では、図４に示すように、リフレクターユニット２０の背面側にランプボディ１０の底面壁１０ａに摺接する摺接ガイド４０が設けられており、ランプボディの底面壁１０ａにバックアップされた摺接ガイド４０が左右エイミング点ｅ２に作用するこの大きな重量負荷の一部を担持するので、リフレクターユニット２０を介して左右エイミング点ｅ２に作用する重量負荷が軽減されて、前記した不具合は発生しない。
【００４０】
また、摺接ガイド４０は、ポリプロピレン樹脂製ランプボディ１０との摺動性に優れた、強靱なポリアセタール樹脂製のＵ字型成形体で構成され、平坦な基端部側をねじ４４でリフレクターユニット２０（リフレクター２１）側のボス２１ａに固定することで、リフレクターユニット２０（リフレクター２１）に一体化されている。
【００４１】
また、摺接ガイド４０の下方に延出する先端側のＵ字状部は、ランプボディ底面壁１０ａに圧接状態に保持されており、左右エイミング点ｅ２（ナット部材１７）に作用する重量負荷の一部がこの摺動ガイド４０を介してランプボディ底面壁１０ａに担持されることで、左右エイミング点ｅ２（ナット部材１７）に作用する重量負荷が軽減され、エイミングスクリュー１６の回動により摺動ガイド４０はランプボディの底面壁１０ａに沿って滑らかに摺動する。
【００４２】
また、摺接ガイド４０が摺接するランプボディ底面壁１０ａにおける摺接面１０ａ１は、図４に示すように、ランプボディ底面壁の一部が内側に窪んで垂直傾動軸Ｌｙに対し直交する平面で形成されており、左右エイミング（リフレクターユニット２０の垂直傾動軸Ｌｙ周りの傾動）の際には、摺接ガイド４０がランプボディ底面壁１０ａ１に沿って摺動し、摺接ガイド４０のランプボディ底面壁１０ａとの摺接部に作用する圧接力は殆ど変化せず、摺動ガイド４０を介してランプボディ底面壁１０ａが担持する重量負荷は常に一定に保持される。
【００４３】
また、摺動ガイド４０におけるランプボディ底面壁１０ａ１との摺接部４０ａは、図１，４に示すように、水平傾動軸Ｌｘの延長線上に位置するように構成されて、上下エイミング（リフレクターユニット２０の水平傾動軸Ｌｘ周りの傾動）によっても、摺動ガイド４０を介してランプボディ底面壁１０ａが担持する重量負荷は常に一定に保持されている。即ち、上下エイミング操作により、リフレクターユニット２０が水平傾動軸Ｌｘ周りに傾動し、摺動ガイド４０もリフレクターユニット２０と一体に傾動（揺動）するが、これらは水平傾動軸Ｌｘの延長線上に位置する摺接部４０ａを中心に揺動するため、摺接部４０ａは殆ど移動（変化）しない。このため、摺動ガイド４０のランプボディ１０との摺接部４０ａに作用する圧接力は、上下エイミング（リフレクターユニット２０の水平傾動軸Ｌｘ周りの傾動）によっても殆ど変化せず、摺動ガイド４０を介してランプボディ底面壁１０ａが担持する重量負荷は常に一定に保持される。
【００４４】
このように、上下左右のエイミングが行われても、摺動ガイド４０が担持するリフレクターユニット２０の重量負荷はほぼ一定に保持されるので、左右エイミングスクリュー１６のスムーズな回動が確保される。
【００４５】
特に、摺接ガイド４０のランプボディ底面壁１０ａとの摺接部４０ａは、ランプを正面視して光源ユニットＵ１におけるバルブ２４の真下に配置されており、摺接ガイド４０は光源ユニットＵ１の重量負荷のすべてを担持して、左右エイミング点ｅ２（ナット部材１７）には、エイミング支点ｅ０に作用するリフレクターユニット２０の重量負荷とほぼ同等の重量負荷が作用して、リフレクターユニット２０がエイミング機構Ｅによって左右方向バランスよく支持されている。即ち、光源ユニットＵ１の重心はバルブ２４の中心近傍であり、光源ユニットＵ１の重心の作用線はバルブ２４の真下を通ることから、光源ユニットＵ１の重心の作用線上に摺接ガイド４０のランプボディ底面壁１０ａとの摺接部４０ａを位置させることで、リフレクターユニット２０における光源ユニットＵ１の重量負荷分のすべてを摺動ガイド４０で担持し、左右エイミング点ｅ２（ナット部材１７）とエイミング支点ｅ０（玉継手１８）には、光源ユニットＵ２，Ｕ３，Ｕ４による重量負荷の略半分が均等に作用して、左右エイミングスクリューの安定したスムーズな回動が確保されている。
【００４６】
また、Ｕ字形状の摺動ガイド４０は、上下方向に作用する慣性重量に対して振動を抑制したり寸法精度上の誤差や組み付け誤差のばらつきを吸収するばね部材としても作用する。
【００４７】
図８、９は、本発明の第２，第３の実施例を示すもので、それぞれの実施例におけるヘッドランプの正面図を示している。
【００４８】
図８では、リフレクターユニット２０の車両幅方向内側寄りにはフォグ対応ビーム形成用のリフレクター２３Ａが、車両幅方向外側寄りにはすれ違いビーム形成用のリフレクター２２Ａと走行ビーム形成用のリフレクター２１Ａが上下に並ぶように形成され、リフレクタ２３Ａ，２２Ａ，２１Ａのそれぞれの後頂部に光源であるバルブ２６，２５，２４が装着されて、車両幅方向内側寄りの第１の光源ユニットＵ１がフォグ対応ビーム形成用の光源ユニット（リフレクター２３Ａとバルブ２６）で、車両幅方向外側寄りの第２，第３の光源ユニッＵ２，Ｕ３がすれ違いビーム形成用の光源ユニット（リフレクター２２Ａとバルブ２５）および走行ビーム形成用の光源ユニット（リフレクター２１Ａとバルブ２４）で構成されている。
【００４９】
そして、前記した第１の実施例におけるポジションランプ用光源ユニットＵ４（リフレクター２７とバルブ２８）が設けられていない点を除いて、その他は前記した第１の実施例に示す構造と同一であり、同一の符号を付すことでその重複した説明は省略する。
【００５０】
図９では、第２，第３の光源ユニットＵ２，Ｕ３を構成する走行ビーム形成用の光源ユニット（リフレクター２１Ａとバルブ２４）とすれ違いビーム形成用の光源ユニット（リフレクター２２Ａとバルブ２５）が前記した第２の実施例の場合と上下逆に配置されており、その他は前記第１，第２の実施例と同一であり、同一の符号を付すことでその重複した説明は省略する。
【００５１】
図１０，１１は、本発明の第４の実施例を示すもので、図１０は第４の実施例に係るヘッドランプの正面図、図１１は同ヘッドランプの縦断面図（図１０に示す線ＸＩ−ＸＩに沿う断面図）である。
【００５２】
この実施例では、エイミング機構Ｅを構成するエイミング支点ｅ０，上下エイミング点ｅ１および左右エイミング点ｅ２の配置が前記した第１の実施例における配置と異なり、その他は第１の実施例のヘッドランプと同一であり、異なる構成について説明し、その他の説明は省略する。
【００５３】
前記した第１の実施例では、エイミング支点ｅ０および左右エイミング点ｅ２がリフレクターユニット２０の下側縁近くに設けられ、上下エイミング点ｅ１がエイミング支点ｅ０の真上に設けられていたが、この第４の実施例では、エイミング支点ｅ０および左右エイミング点ｅ２がリフレクターユニット２０の上側縁近くに設けられ、上下エイミング点ｅ１がエイミング支点ｅ０の真下に設けられている。
【００５４】
そして、リフレクター２１の背面側上部にはブラケット４６が延出形成され、このブラケット４６に摺接ガイド４０が取着され、一方、ランプボディ１０における車両幅方向内側の上部位置内側には、水平傾動軸Ｌｘと平行に延びる水平プレート状延出部４８が形成されている。そして、ブラケット４６に一体化された摺接ガイド４０が水平プレート状延出部４８の上面に摺接し、摺接ガイド４０と水平プレート状延出部４８との摺接部が水平傾動軸Ｌｘの延長線上となるように構成されている。即ち、摺接ガイド４０が摺接する水平プレート状延出部４８における摺接面４８ａによって、リフレクターユニット２０に取着された摺接ガイド４０をバックアップするランプボディ側のリフレクターユニット担持面が構成されている。なお、摺動ガイド４０が摺接する水平プレート状延出部４８の摺接面４８ａは、垂直傾動軸Ｌｙに対し直交する平面である。
【００５５】
したがって、この実施例においても、左右エイミング点ｅ２に作用するリフレクターユニット２０の重量負荷の一部が摺接ガイド４０とこれをバックアップする水平プレート状延出部４８で担持されて、左右エイミング点ｅ２に特に大きな重量負荷が作用することがなく、リフレクターユニット２０はエイミング機構Ｅによって左右方向にバランスよく支持されたものとなっている。
【００５６】
図１２は、本発明の第５の実施例のヘッドランプの正面図を示している。
【００５７】
この実施例についても、エイミング機構Ｅを構成するエイミング支点ｅ０，上下エイミング点ｅ１および左右エイミング点ｅ２の配置が前記した第１の実施例における配置と異なり、その他は第１の実施例のヘッドランプと同一であり、異なる構成について説明し、その他の説明は省略する。
【００５８】
即ち、この第５の実施例では、左右エイミング点ｅ２の配置位置は前記した第１の実施例と同じであるが、エイミング支点ｅ０および上下エイミング点ｅ１がリフレクターユニット２０の車両幅方向内側の側縁部に設けられている点が異なる。
【００５９】
さらに、第３の光源ユニットＵ３の光源であるバルブ２６の真下に、ランプボディ底面壁１０ａに摺接する摺接ガイド４０が配置されて、左右エイミング支点ｅ２に作用する重量負荷の一部（光源ユニットＵ２，Ｕ３の重量相当）がランプボディ底面壁１０ａにバックアップされた摺接ガイド４０で担持されて、左右エイミング支点ｅ２には特に大きな重量負荷が作用しないようになっている。
【００６０】
摺接ガイド４０が摺接するランプボディ底面壁１０ａにおける摺接面１０ａ１は、図に示すように、ランプボディ底面壁１０ａの一部が内側に窪んで垂直傾動軸Ｌｙに対し直交する平面で形成され、摺動ガイド４０におけるランプボディ底面壁１０ａとの摺接部４０ａが水平傾動軸Ｌｘの延長線上に位置するように構成されていることは、前記した第１の実施例と同様である。
【００６１】
なお、前記した第１〜第５の実施例では、主にすれ違いビーム形成用光源ユニットや走行ビーム形成用光源ユニットとともに点灯されて、すれ違いビームや走行ビームを補助するために使用される補助ビーム形成用の光源ユニットの一例として、フォグ対応ビーム形成用の光源ユニットを示したが、その他の補助ビーム形成用の光源ユニットとしては、側方を照明するベンディングビーム形成用の光源ユニット、高速走行中の遠方照明ビーム形成用の光源ユニット、雨天対応ビーム形成用の光源ユニット等がある。
【００６２】
【発明の効果】
以上の説明から明らかなように、請求項１に係るリフレクター可動型ヘッドランプによれば、エイミング機構が簡潔で軽量となり、ランプのコンパクト化，軽量化，低コスト化が達成され、車体のランプ収容スペースもそれだけ小さくてよい。また、隣接リフレクター間に隙間がないので、ランプの見栄えも良好となる。
【００６３】
また、２つの光源ユニットが左右に並ぶように配置されて、灯室の左右方向の幅が小さくなる分、左右方向幅のコンパクトなヘッドランプが提供される。
【００６４】
また、上下に並べた第２，第３の光源ユニット上下幅が第１の光源ユニットの上下幅にほぼ等しい場合には、リフレクターユニットの左右方向および上下方向の幅が小さくなって、上下左右方向にコンパクト化されたヘッドランプが提供される。
【００６５】
また、リフレクターユニットとランプボディ間の比較的大きなスペースにエイミング機構構成部材を収容するので、ランプボディやフレクターユニットの形状を工夫するまでもなくエイミング機構を配設でき、ヘッドランプの設計が容易で、ランプが大型化することもない。
【００６６】
また、左右エイミング点を僅かに進退動作（左右エイミングスクリューを僅かに回動操作）することで、左右方向に大きくエイミングできるので、左右エイミングを迅速に行うことができる。
【００６７】
また、左右エイミン点に作用するリフレクターユニットの重量負荷は摺動ガイドとランプボディ側のリフレクターユニット担持面に生ずる圧接力相当だけ軽減されるので、左右エイミング点のスムーズな進退（左右エイミングスクリューのスムーズな回動）が確保されて、ランプの適正な左右エイミングが可能となる。特に、リフレクターユニットの左右方向の傾動位置に拘わらず、リフレクターユニットの重量負荷の軽減量は一定であるため、常に左右エイミング点のスムーズな進退（左右エイミングスクリューのスムーズな回動）が確保されて、ランプの適正な左右エイミングが可能となる。
【００６８】
請求項２によれば、左右エイミングに加えて上下左右のエイミングが行われても、摺動ガイドが担持するリフレクターユニットの重量負荷はほぼ一定に保持されるので、常に左右エイミング点のスムーズな進退（左右エイミングスクリューのスムーズな回動）が確保されて、ランプの適正な左右エイミングが可能となる。
【００６９】
請求項３によれば、リフレクターユニットがエイミング機構によって左右方向にバランスよく支持されるので、常に正確かつスムーズな左右エイミングを遂行できる。
【図面の簡単な説明】
【図１】本発明の第１の実施例であるリフレクター可動型ヘッドランプの正面図である。
【図２】同ヘッドランプの水平断面図(図１に示す線II−IIに沿う断面図）である。
【図３】同ヘッドランプの縦断面図(図１に示す線III−IIIに沿う断面図）である。
【図４】同ヘッドランプの縦断面図(図１に示す線IＶ−IＶに沿う断面図）である。
【図５】同ヘッドランプの縦断面図(図１に示す線Ｖ−Ｖに沿う断面図）である。
【図６】同ヘッドランプの縦断面図(図１に示す線ＶI−ＶIに沿う断面図）である。
【図７】要部である摺動ガイドの斜視図である。
【図８】本発明の第２の実施例であるリフレクター可動型ヘッドランプの正面図である。
【図９】本発明の第３の実施例であるリフレクター可動型ヘッドランプの正面図である。
【図１０】本発明の第４の実施例であるリフレクター可動型ヘッドランプの正面図である。
【図１１】同ヘッドランプの縦断面図(図１０に示す線ＸI−ＸIに沿う断面図）である。
【図１２】本発明の第５の実施例であるリフレクター可動型ヘッドランプの正面図である。
【図１３】従来のリフレクター可動型ヘッドランプの正面図である。
【符号の説明】
Ｓ  灯室
１０  ランプボディ
１０ａ  ランプボディの底面壁
１０ａ１  ランプボディ底面壁に設けたリフレクターユニット担持面である摺接面
１１  前面レンズ
Ｅ    エイミング機構
ｅ０  エイミング支点
ｅ１  上下エイミング点
ｅ２  左右エイミング点
１４  エイミング機構構成部材である上下エイミングスクリュー
１５  上下エイミング点を構成するナット部材
１６  エイミング機構構成部材である左右エイミングスクリュー
１７  左右エイミング点を構成するナット部材
１８  エイミング機構構成部材（エイミング支点）である玉継手
２０  リフレクターユニット
２１，２１Ａ  走行ビーム形成用のリフレクター
２２，２２Ａ  すれ違いビーム形成用のリフレクター
２３，２３Ａ  フオグ対応ビーム形成用のリフレクター
２４，２５，２６  光源であるバルブ
４０  摺接ガイド
４０ａ  摺接ガイドのランプボディ側摺接面との摺接部
４８ａ１  ランプボディ側の水平プレート状延出部に設けたリフレクターユニット担持面である摺接面
Ｕ１  第１の光源ユニット
Ｕ２  第２の光源ユニット
Ｕ３  第３の光源ユニット
Ｌｘ  水平傾動軸
Ｌｙ  垂直傾動軸
【図１】
0003897159.tif 000002
【図２】
0003897159.tif 000003
【図３】
0003897159.tif 000004
【図４】
0003897159.tif 000005
【図５】
0003897159.tif 000006
【図６】
0003897159.tif 000007
【図７】
0003897159.tif 000008
【図８】
0003897159.tif 000009
【図９】
0003897159.tif 000010
【図１０】
0003897159.tif 000011
【図１１】
0003897159.tif 000012
【図１２】
0003897159.tif 000013
【図１３】
0003897159.tif 000014